(57)【特許請求の範囲】
【請求項１】
底部（２１）を下にし爪先部（２２）を斜め上方へ向けた状態の靴（２０）の爪先部（２２）上部に対し上方から当接して支持する上支持体（１２）と、
靴（２０）の底部（２１）に対し下方から当接して支持する下支持体（１１）とを備え、
支持される靴（２０）の重心（２０Ｇ）が前記下支持体（１１）よりも靴（２０）の踵（２３）側に位置し、
前記上支持体（１２）による上支持部（１２Ｕ）と下支持体（１１）による下支持部（１１Ｄ）との上下方向の間隔（Ｌ２）は、５ｃｍ以上１０ｃｍ以下であり、前記上支持体（１２）による上支持部（１２Ｕ）と下支持体（１１）による下支持部（１１Ｄ）との水平方向の間隔（Ｌ１）は、２ｃｍ以上５ｃｍ以下であることを特徴とする靴支持構造。
【請求項２】
請求項１において、
前記上支持体（１２）と下支持体（１１）は、いずれも断面円形の棒またはパイプであり、下支持体（１１）の直径（Ｄ１）が上支持体（１２）の直径（Ｄ２）の１．５〜３倍となっていることを特徴とする靴支持構造。
【請求項３】
底部（２１）を下にし爪先部（２２）を斜め上方へ向けた状態の靴（２０）の爪先部（２２）上部に対し上方から当接して支持する上支持体（１２）と、
靴（２０）の底部（２１）に対し下方から当接して支持する下支持体（１１）とを備え、
支持される靴（２０）の重心（２０Ｇ）が前記下支持体（１１）よりも靴（２０）の踵（２３）側に位置し、
前記上支持体（１２）と下支持体（１１）は、いずれも断面円形の棒またはパイプであり、下支持体（１１）の直径（Ｄ１）が上支持体（１２）の直径（Ｄ２）の１．５〜３倍となっていることを特徴とする靴支持構造。
【発明の詳細な説明】
【技術分野】
【０００１】
本発明は、靴支持構造に関するものである。
【背景技術】
【０００２】
従来、例えば特許文献１、２に見られるように、
踵部を下にし爪先部を上方へ向けた状態の靴の踵部を下方から支持し、爪先部上部に対し底部と反対側から当接して支持する上支持体とを備えた靴支持構造が知られている。
【０００３】
このような靴支持構造によれば、靴を縦置き状態で支持できるので、奥行きスペースを小さくできる。
【０００４】
しかし、このような靴支持構造は、上支持体は爪先部上部に対し底部と反対側から軽く当接しているだけであるから、支持された靴は踵部を中心にして左右に倒れやすく、不安定である。
そのため、特許文献１（実開昭４７−９７３２）のものでは、仕切板７が設けられている。
【０００５】
また、従来、例えば特許文献３に見られるように、踵部を下にし爪先部を上方へ向けた状態の靴の踵部を下方から支持し、爪先部上部に対し底部側またはその反対側から当接して支持する上支持体とを備えた靴支持構造が知られている。
【０００６】
しかしこのものも、上支持体は爪先部上部に対し底部側またはその反対側から軽く当接しているだけであるから、支持された靴は踵部を中心にして左右に倒れやすく、不安定である。
【０００７】
また、従来、例えば特許文献４、５に見られるように、踵部を上にし爪先部を下方へ向けた状態の靴を支持ずる靴支持構造も知られている。
【０００８】
しかしこれらのものは、支持状態がさらに不安定になる。
そのため、特許文献４のものは靴の横倒れを防止する仕切板３が設けられている。
またいずれのものも蓋の開閉が必要で、靴収納作業が面倒でもある。
【０００９】
また、従来、例えば特許文献６の図７等に見られるように、３本の支持バー４３ａ１〜３上に靴Sを載置することのできる靴支持構造も知られている。
【００１０】
しかしこのものは靴Sを水平状態で支持する構造であるため、奥行きスペースを小さくすることはできない。
また、このものは子供用靴ＳＳのための支持バー４３ａ３が必要である。
【００１１】
また、従来、例えば特許文献７には、その図４に見られるように、靴底の踵部の段差部をシャフト３２に掛けることで、靴を斜め下向きに載置し、あるいはその図５に見られるようにハイヒールのヒール部をシャフト３２に掛けることで、爪先部を斜め下向に向けてて載置することができる靴支持構造が開示されている。
【００１２】
しかしこの靴支持構造は、靴底の踵部に段差部を有しない靴（例えばスニーカ）については、安定した状態で斜めに載置することができない。
【先行技術文献】
【特許文献】
【００１３】
【特許文献１】実開昭４７−９７３２号公報
【特許文献２】実開昭６３−７５２４２号公報
【特許文献３】実開昭５８-１６１５４６号公報
【特許文献４】実開昭５７−１２３０４１号公報
【特許文献５】実開昭５２−０１０５２０号公報
【特許文献６】特開２０１６−１３６９８６号公報
【特許文献７】特開２０１８−０２７１６７号公報
【発明の概要】
【発明が解決しようとする課題】
【００１４】
本発明が解決しようとする課題は、奥行きスペースを小さくでき、靴支持作業も簡単で、靴を安定した状態で支持することができる靴支持構造を提供することである。
【課題を解決するための手段】
【００１５】
上記課題を解決するために本発明の靴支持構造は、
底部を下にし爪先部を斜め上方へ向けた状態の靴の爪先部上部に対し上方から当接して支持する上支持体と、
靴の底部に対し下方から当接して支持する下支持体とを備え、
支持される靴の重心が前記下支持体よりも靴の踵側に位置し、
前記上支持体による上支持部と下支持体による下支持部との上下方向の間隔は、５ｃｍ以上１０ｃｍ以下であり、前記上支持体による上支持部と下支持体による下支持部との水平方向の間隔は、２ｃｍ以上５ｃｍ以下であることを特徴とする。
【００１６】
この靴支持構造は、上記の構成となっているので、次のような作用効果が得られる。
底部を下にし爪先部を斜め上方へ向けた状態の靴の底部を下支持体に対して上方から当接させ、靴の爪先部上部を上支持体に対して下方から当接させことで、底部を下にし爪先部を斜め上方へ向けた状態で、下支持体と上支持体とで靴を支持させることができる。
つまり、靴を手で持って上支持体と下支持体との間に入れ、靴の底部を下支持体に対して上方から当接させて手を離すだけで、簡単に、下支持体と上支持体とで靴を支持させることができる。
靴は、底部が下になり、爪先部が斜め上方へ向かう傾斜状の姿勢で支持されるから、水平状に支持される場合に比べて、支持スペースの奥行きスペースを小さくすることができる。
支持される靴の重心は下支持体よりも靴の踵側に位置するので、靴の爪先部上部には上支持体からの押圧力が作用する。
この押圧力によって、靴の姿勢は安定化する。
【００１７】
以上のように、この発明の靴支持構造によれば、奥行きスペースを小さくでき、靴支持作業も簡単で、靴を安定した状態で支持することができる。
【００１８】
また、この靴支持構造においては、
前記上支持体による上支持部と下支持体による下支持部との上下方向の間隔は、５ｃｍ以上１０ｃｍ以下であり、前記上支持体による上支持部と下支持体による下支持部との水平方向の間隔は、２ｃｍ以上５ｃｍ以下であるので、子供用の小さな靴から大人用のほとんどのサイズの靴を良好に支持することが可能となる。
【００１９】
仮に、上支持体による上支持部と下支持体による下支持部との上下方向の間隔が５ｃｍ未満であるとすると、高さの高い靴を良好に支持できなくなる可能性が高くなる。逆に１０ｃｍを超えると、子供用の靴を含め小さなサイズの靴を良好に支持できなくなる可能性が高くなる。
また仮に、上支持体による上支持部と下支持体による下支持部との水平方向の間隔が２ｃｍ未満であるとすると、支持される靴が、上向きに傾きすぎて良好に支持できなくなる可能性が高くなる。逆に５ｃｍを超えると、子供用の靴を含め小さなサイズの靴を良好に支持できなくなる可能性が高くなるとともに、奥行きスペ−スの増大化を招きやすくなる。
【００２０】
これに対し、上支持体による上支持部と下支持体による下支持部との上下方向の間隔が５ｃｍ以上１０ｃｍ以下であり、上支持体による上支持部と下支持体による下支持部との水平方向の間隔が２ｃｍ以上５ｃｍ以下であると、子供用の小さな靴から大人用のほとんどのサイズの靴を良好に支持することが可能となる。また、奥行きスペ−スの増大化も招きにくい。
【００２１】
また、上記課題を解決するために本発明の靴支持構造は、
底部を下にし爪先部を斜め上方へ向けた状態の靴の爪先部上部に対し上方から当接して支持する上支持体と、
靴の底部に対し下方から当接して支持する下支持体とを備え、
支持される靴の重心が前記下支持体よりも靴の踵側に位置し、
前記上支持体と下支持体は、いずれも断面円形の棒またはパイプであり、下支持体の直径が上支持体の直径の１．５〜３倍となっていることを特徴とする。
このように構成すると、より大きな荷重がかかる下支持体の強度を確保しやすくなると同時に、上支持体と下支持体との違いを目視しやすくなり、靴の挿入空間を確認しやすくなる。
【００２２】
仮に、下支持体の直径が上支持体の直径の１．５倍未満であるとすると、強度が確保しにくくなるおそれがあるとともに、上支持体と下支持体との違いを目視しにくくなり、靴の挿入空間を確認しにくくなるおそれがある。逆に、下支持体の直径が上支持体の直径の３倍を超えると、上支持体と下支持体との間の靴の挿入空間が狭くなる。挿入空間を確保しようとすると、靴支持構造全体として大型化してしまう。
【００２３】
これに対し、下支持体の直径が上支持体の直径の１．５〜３倍となっていると、より大きな荷重がかかる下支持体の強度を確保しやすくなると同時に、上支持体と下支持体との違いを目視しやすくなり、靴の挿入空間を確認しやすくなる。また、靴支持構造全体として大型化も防止することができる。
【図面の簡単な説明】
【００２４】
【図１】本発明に係る靴支持構造の実施の形態の要部を示す図で、（ａ）は正面図、（ｂ）は図（ａ）におけるｂ−ｂ断面図。
【図２】（ａ）（ｂ）は作用説明図。
【図３】同実施の形態の適用例を示す図で、（ａ）は正面図、（ｂ）は図（ａ）におけるｂ−ｂ断面図。
【図４】（ａ）（ｂ）はそれぞれ変形例の説明図。
【発明を実施するための形態】
【００２５】
以下、本発明に係る靴支持構造の実施の形態について図面を参照して説明する。なお、各図において、同一部分ないし相当する部分には、同一の符号を付してある。
【００２６】
図１に示すように、この実施の形態の靴支持構造１は、
底部２１を下にし爪先部２２を斜め上方へ向けた状態の靴２０の爪先部２２の上部２２Ｕに対し上方から当接して支持する上支持体１２と、
靴２０の底部２１に対し下方から当接して支持する下支持体１１とを備え、
支持される靴２０の重心２０Ｇが下支持体１１よりも靴２０の踵２３側に位置することを特徴としている。
【００２７】
この靴支持構造１は、上記の構成となっているので、次のような作用効果が得られる。
【００２８】
底部２１を下にし爪先部２２を斜め上方へ向けた状態の靴２０の底部２１を下支持体１１に対して上方から当接させ、靴２０の爪先部２２の上部２２Ｕを上支持体１２に対して下方から当接させことで、底部２１を下にし爪先部２２を斜め上方へ向けた状態で、下支持体１１と上支持体１２とで靴２０を支持することができる。
【００２９】
より詳しくは、例えば図２（ａ）に示すように、底部２１を下にした状態で靴２０を持ち（通常は左右一対の靴の足入れ口２４（図１（ａ）参照）を持ち）、下支持体１１と上支持体１２との間に靴２０を入れる。底部２１は下支持体１１に当接させる。
【００３０】
次いで、図２（ａ）から（ｂ）に示すように、爪先部２２が斜め上方へ向かうように靴２０を回動させ（踵部２３を下方に移動させ）、爪先部２２の上部２２Ｕを上支持体１２に対して下方から当接させる。
【００３１】
その後、靴２０から手を離すことで、底部２１を下にし爪先部２２を斜め上方へ向けた状態で、下支持体１１と上支持体１２とで靴２０を支持させることができる。
【００３２】
つまり、靴２０を手で持って上支持体１２と下支持体１１との間に入れ、靴２０の底部２１を下支持体１１に対して上方から当接させ踵部２３を下方に下げて手を離すだけで、簡単に、下支持体１１と上支持体１２とで靴２０を支持させることができる。
【００３３】
靴２０は、底部２１が下になり、爪先部２２が斜め上方へ向かう傾斜状の姿勢で支持されるから、水平状に支持される場合に比べて、支持スペースの奥行きスペースＬ（図２（ｂ）参照）を小さくすることが可能になる。
【００３４】
支持される靴２０の重心２０Ｇは下支持体１１よりも靴２０の踵２３側に位置するので、靴２０の爪先部２２の上部２２Ｕには上支持体１２からの押圧力Ｆ（図２（ｂ）参照）が作用する。
この押圧力Ｆによって、靴２０の姿勢は安定化する。
【００３５】
以上のように、この実施の形態の靴支持構造１によれば、奥行きスペースＬを小さくでき、靴２０の支持作業も簡単で、靴２０を安定した状態で支持することができる。
【００３６】
図２（ｂ）に示すように、上支持体１２による上支持部１２Ｕと下支持体１１による下支持部１１Ｄとの上下方向の間隔Ｌ２は、５ｃｍ以上１０ｃｍ以下（より好ましくは７ｃｍ以上８ｃｍ以下）とし、上支持体１２による上支持部１２Ｕと下支持体１１による下支持部１１Ｄとの水平方向の間隔Ｌ１は、２ｃｍ以上５ｃｍ以下（より好ましくは３ｃｍ以上５ｃｍ以下）とすることが望ましい。
【００３７】
このように構成すると、子供用の小さな靴２０から大人用のほとんどのサイズの靴２０を良好に支持することが可能となる。
【００３８】
仮に、上支持体１２による上支持部１２Ｕと下支持体１１による下支持部１１Ｄとの上下方向の間隔Ｌ２が５ｃｍ未満であるとすると、高さの高い靴（例えば甲部ないし爪先部の高さＨ（図１（ｂ）の符号２０（Ｌ）参照）の高い靴）を良好に支持できなくなる可能性が高くなる。逆に１０ｃｍを超えると、子供用の靴２０を含め小さなサイズの靴２０（例えば図１（ｂ）の靴２０（Ｓ））を良好に支持できなくなる可能性が高くなる。
【００３９】
また仮に、上支持体１２による上支持部１２Ｕと下支持体１１による下支持部１１Ｄとの水平方向の間隔Ｌ１（図２（ｂ））が２ｃｍ未満であるとすると、支持される靴２０が、上向きに傾きすぎて良好に支持できなくなる可能性が高くなる。逆に５ｃｍを超えると、子供用の靴２０を含め小さなサイズの靴を良好に支持できなくなる可能性が高くなるとともに、奥行きスペ−スＬの増大化を招きやすくなる。
【００４０】
これに対し、上支持体１２による上支持部１２Ｕと下支持体１１による下支持部１１Ｄとの上下方向の間隔Ｌ２が５ｃｍ以上１０ｃｍ以下であり、上支持体１２による上支持部１２Ｕと下支持体１１による下支持部１１Ｄとの水平方向の間隔Ｌ１が２ｃｍ以上５ｃｍ以下であると、子供用の小さな靴２０から大人用のほとんどのサイズの靴２０を良好に支持することが可能となる。また、奥行きスペ−スＬの増大化も招きにくい。
上支持体１２による上支持部１２Ｕと下支持体１１による下支持部１１Ｄとの上下方向の間隔Ｌ２を７ｃｍ以上８ｃｍ以下とし、上支持体１２による上支持部１２Ｕと下支持体１１による下支持部１１Ｄとの水平方向の間隔Ｌ１を３ｃｍ以上５ｃｍ以下とすることで、子供用の小さな靴２０から大人用のほとんどのサイズの靴２０を一層良好に支持することが可能となる。
【００４１】
上支持体１２と下支持体１１は、いずれも断面円形または楕円形の棒またはパイプで構成し、図１（ａ）に示すように、下支持体１１の直径Ｄ１は上支持体１２の直径Ｄ２の１．５〜３倍（より好ましくは２〜３倍）とすることが望ましい。
このように構成すると、より大きな荷重がかかる下支持体１１の強度を確保しやすくなると同時に、上支持体１２と下支持体１１との違いを目視しやすくなり（図１（ａ）参照）、靴２０の挿入空間Ｓを確認しやすくなる。
【００４２】
仮に、下支持体１１の直径Ｄ１が上支持体１２の直径Ｄ２の１．５倍未満であるとすると、強度が確保しにくくなるおそれがあるとともに、上支持体１２と下支持体１１との違いを目視しにくくなり、靴２０の挿入空間Ｓを確認しにくくなるおそれがある。逆に、下支持体１１の直径Ｄ１が上支持体１２の直径Ｄ２の３倍を超えると、上支持体１２と下支持体１１との間の靴の挿入空間Ｓが狭くなる。挿入空間Ｓを広く確保しようとすると、靴支持構造１全体として大型化してしまう。
【００４３】
これに対し、下支持体１１の直径Ｄ１が上支持体１２の直径Ｄ２の１．５〜３倍となっていると、より大きな荷重がかかる下支持体１１の強度を確保しやすくなると同時に、上支持体１２と下支持体１１との違いを目視しやすくなり、靴の挿入空間Ｓを確認しやすくなる。また、靴支持構造１全体としての大型化も防止することができる。
【００４４】
なお、図１に示す実施の形態の上支持体１２と下支持体１１は、いずれも断面円形の棒で構成したが、円形のパイプで構成しても良いし、楕円形の棒またはパイプで構成してもよい。
【００４５】
上支持体１２と下支持体１１は、いずれも適宜の公知の材料、例えば、木材、合成樹脂、金属等で構成することができる。
上支持体１２と下支持体１１は、いずれも公知の適宜の構造で水平方向に横架することができる。例えば、図３に示すように左右一対の側板１４，１４間に横架することができる。側板１４，１４の上下は、必要に応じて天板１５，底板１６で連結することができる。上支持体１２と下支持体１１は、側板１４に代えて壁面（図示せず）間に横架することもできる。
【００４６】
上支持体１２と下支持体１１の間には、種々の靴を支持することができる。例えば、図１，図３に示すように、小さめの靴２０（Ｓ）、大きめの靴（Ｌ）、ハイヒール２０（Ｈ）も支持することができる。また、踵部（底部）の段部２０Ｄ（図１（Ｄ））を利用して支持する構造ではないため、段部２０Ｄを有しない靴２０（Ｌ）も支持することができる。
【００４７】
図３は、縦に３足、横に２足支持できるものを示しているが、縦横とも、支持する靴の数は、適宜設定することができる。
【００４８】
以上、本発明の実施の形態について説明したが、本発明は上記の実施の形態に限定されるものではなく、本発明の要旨の範囲内において適宜変形実施可能である。
例えば、
【００４９】
図４（ａ）に示すように、上支持体１２は断面楕円形状として軸１２Ａ回りに回転可能に設けてもよい。
このように構成すると、靴２０の爪先部２２の上部２２Ｕに対する上支持体１２の当接面の曲率半径を大きくできるため、爪先部２２の上部２２Ｕに対する上支持体１２の過度な食い込みを防止することができる。
【００５０】
また、図４（ｂ）に示すように、上支持体１２と下支持体１１の双方または一方の表面を、高摩擦材料（例えば高摩擦ゴム）１２Ｂ，１１Ｂで覆っても良い。
このように構成すると、上支持体１２と下支持体１１とによる靴２０の保持力を高めることができる。
図４（ａ）に示した断面楕円形状の上支持体１２の表面にも高摩擦材料（例えば高摩擦ゴム）を設けることができる。
【符号の説明】
【００５１】
１：    靴支持構造
１１：    下支持体
１２：    上支持体
２０：    靴
２１：    底部
２２：    爪先部
２３：    踵部
【要約】
【課題】奥行きスペースを小さくでき、靴支持作業も簡単で、靴を安定した状態で支持することができる靴支持構造を提供する。
【解決手段】底部２１を下にし爪先部２２を斜め上方へ向けた状態の靴２０の爪先部２２の上部２２Ｕに対し上方から当接して支持する上支持体１２と、靴２０の底部２１に対し下方から当接して支持する下支持体１１とを備え、支持される靴２０の重心２０Ｇが下支持体１１よりも靴２０の踵２３側に位置する。底部２１を下にし爪先部２２を斜め上方へ向けた状態の靴２０の底部２１を下支持体１１に対して上方から当接させ、靴２０の爪先部２２の上部２２Ｕを上支持体１２に対して下方から当接させことで、底部２１を下にし爪先部２２を斜め上方へ向けた状態で、下支持体１１と上支持体１２とで靴２０を支持することができる。
【選択図】図１【図１】
0006845964.tif 000002
【図２】
0006845964.tif 000003
【図３】
0006845964.tif 000004
【図４】
0006845964.tif 000005